(57)【要約】【課題】  専用の映像回線や、ネットワーク接続するための機器及び回線を必要とせず、低速のアナログモデムを使用して遅延プロファイル情報等を伝送し、アンテナの方向調整を支援することを目的とする。【解決手段】  映像信号を送信する送信装置と、送信された信号を受信する受信装置と、受信装置のアンテナをリモートコントロールする制御装置とを有するＦＰＵリモコンシステムにおいて、受信された受信電波の伝送状態を表す少なくとも遅延プロファイル情報を受信装置のアンテナの角度情報に対応した静止画像に変換し、対応するアンテナの角度情報と共に制御装置に伝送し、制御装置の表示装置に、伝送された静止画像と対応するアンテナの角度情報を一覧表示し、一覧表示された静止画像と対応するアンテナの角度情報に基づき、受信装置のアンテナを最適伝送状態となる角度に方向調整するものである。【選択図】  図１
2006287371.tif 000002
【特許請求の範囲】
【請求項１】
映像信号を送信する送信装置と、送信された信号を受信する受信装置と、該受信装置のアンテナをリモートコントロールする制御装置とを有するＦＰＵリモコンシステムにおいて、受信された受信電波の伝送状態を表す少なくとも遅延プロファイル情報を、前記受信装置のアンテナの角度情報に対応した静止画像に変換し、前記制御装置に伝送することを特徴とするＦＰＵリモコンシステム。
【請求項２】
請求項１において、前記制御装置からの要求に応じ、所定の静止画像情報と対応するアンテナの角度情報を前記受信装置から前記制御装置に時分割で伝送することを特徴とするＦＰＵリモコンシステム。
【請求項３】
請求項１または２において、前記制御装置の表示装置に、伝送された静止画像と対応するアンテナの角度情報を一覧表示することを特徴とするＦＰＵリモコンシステム。
【請求項４】
請求項３において、前記制御装置の表示装置に一覧表示された静止画像と対応するアンテナの角度情報に基づき、前記制御装置により前記受信装置のアンテナを最適伝送状態となる角度に方向調整することを特徴とするＦＰＵリモコンシステム。
【発明の詳細な説明】
【技術分野】
【０００１】
本発明は、映像信号を送信する送信装置と、送信された信号を受信アンテナで受信する受信装置と、前記受信アンテナの受信方向をリモートコントロールする制御装置とを有するＦＰＵ(Field Pick-up Unit)リモコンシステムにおける、遅延波の混入状態を表す遅延プロファイル情報等を伝送する方法及びアンテナ方向調整を支援する表示方法に関する。
【背景技術】
【０００２】
従来、映像信号を放送する放送局などでは、放送するニュース番組などで使用する映像素材をテレビジョンカメラ等で撮影して得、その得られた映像素材をマイクロ波で中継車等から送信し、その送信電波を受信基地局(見通しの良い山頂等に設置された受信装置)で受信し、その受信電波の放送素材を専用ＴＳＬ(Transmitter to Studio Link)回線により本社スタジオ等へ伝送し、そこで収録または放送される。
【０００３】
ここで、従来のアナログ方式ＦＰＵリモコンシステムの場合、受信基地局の受信状態は受信電界の強弱を表すためのメータが、例えば、本社の制御装置であるパソコンのＣＲＴ上に表示されて、操作者がその表示を見て良否判定する方式としていた。
【０００４】
一方、近年開発されている地上デジタル放送に用いるデジタル信号受信方式のＦＰＵリモコンシステムでは、受信電界の強弱を表すメータだけでは、受信状態の良否判定を正確に行うことはできない。この様に、ＦＰＵ受信装置のデジタル化に伴い、遅延プロファイルデータ等の方向調整を支援する情報を、ＦＰＵ及び回転装置を設置する受信基地局から本社(放送局)まで伝送する必要がある。
【０００５】
そこで、従来、遅延プロファイル情報等をアナログ映像信号に置き換え、専用映像回線、または映像をエンコードし、ネットワーク経由で伝送する方式(例えば、特許文献１)、受信信号の信号点配置(コンスタレーション)状態を２次元映像表示するもの(例えば、特許文献２)がある。また、遅延プロファイル情報をデジタル信号にしてから、本社(放送局)に伝送する伝送する方式(例えば、特許文献３)もある。
【特許文献１】特開２００２−０９４４８１公報
【特許文献２】特開２００４−２１４９８０公報
【特許文献３】特開２００４−３５７１１２公報
【発明の開示】
【発明が解決しようとする課題】
【０００６】
上述した従来の方式では、遅延プロファイル情報を伝送するために専用に、映像回線を必要としたり、基地局と本社間にネットワーク接続するための機器及び、回線が必要となる。
【０００７】
本発明はこれらの欠点を除去し、従来から制御及び監視回線として使用しているアナログモデム等を使用し、遅延プロファイルデータ等を伝送可能とし、更に、本社側へ伝送される遅延プロファイルデータ等により、アンテナの方向調整を支援することを目的とするものである。
【課題を解決するための手段】
【０００８】
本発明は上記目的を達成するため、映像信号を送信する送信装置と、送信された信号を受信する受信装置と、該受信装置のアンテナをリモートコントロールする制御装置とを有するＦＰＵリモコンシステムにおいて、受信された受信電波の伝送状態を表す少なくとも遅延プロファイル情報を、前記受信装置のアンテナの角度情報に対応した静止画像に変換し、前記制御装置に伝送するようにしたものである。
【０００９】
また、前記制御装置からの要求に応じ、所定の静止画像情報と対応するアンテナの角度情報を前記受信装置から前記制御装置に時分割で伝送するものである。
また、前記制御装置の表示装置に、伝送された静止画像と対応するアンテナの角度情報を一覧表示するものである。
【００１０】
また、前記制御装置の表示装置に一覧表示された静止画像と対応するアンテナの角度情報に基づき、前記制御装置により前記受信装置のアンテナを最適伝送状態となる角度に方向調整するものである。
【発明の効果】
【００１１】
以上説明したように本発明によれば、低速のアナログモデムを使用し、遅延プロファイル情報等を伝送可能とし、更にアンテナ回転装置の角度に対応した遅延プロファイル情報等の静止画像を一覧表示することにより、アンテナの方向調整操作を支援することが可能である。
【発明を実施するための最良の形態】
【００１２】
以下、本発明による一実施例、特にＦＰＵ受信装置を備えたパラボラアンテナ回転装置の制御、方向調整操作の一実施の形態について、図１から図３を用いて説明する。図１は本発明の一実施例の構成を示すブロック図、図２は遅延プロファイル情報等の静止画像の一覧表示画面の模式図で、各画面の左側が遅延プロファイル映像、右側がコンスタレーション状態の２次元映像、下側が回転装置の水平角度及び垂直角度である。図３はアンテナ回転装置の制御、方向調整操作のフローチャートである。
【００１３】
中継車等の送信設備１は、送信ＦＰＵ１１を備える。受信基地局２は、パラボラアンテナ回転装置２１、デジタル受信ＦＰＵ２２、遅延プロファイル情報等を作成、送出する遅延プロファイルアダプタ２４を備え、これらを制御監視する被制御監視処理部２３から構成されている。本社側設備３は、制御監視処理部３１と表示部３２と操作部３３から構成される。
【００１４】
自由に移動ができる送信設備１の方向に受信基地局２のパラボラアンテナ回転装置２１を向ける場合、本社側設備３の表示部３３で現在のパラボラアンテナ回転装置２１の角度を確認しながら、操作部３３より水平角度及び垂直角度を制御する(ステップ１００)。
【００１５】
受信基地局２の被制御監視処理部２３は、本社側設備３からの制御信号に基づき、アンテナ回転装置２１を制御し(ステップ１０１)、アンテナの角度を所定角度ずつ変化させながら、デジタル受信ＦＰＵ２２からの受信信号データを順次、遅延プロファイルアダプタ２４に入力する(ステップ１０２)。
【００１６】
遅延プロファイルアダプタ２４では、入力される受信信号データから、特許文献１，３に示すような遅延プロファイル情報を抽出し、映像信号に変換する(ステップ１０３)。
また、被制御監視処理部２３は、アンテナ回転装置２１からの角度情報に連動し、遅延プロファイルアダプタ２４から、時分割で、対応する映像信号化された遅延プロファイル情報の静止画像を取り込み記憶する(ステップ１０４)。
【００１７】
一連の方向調整操作の完了後、時分割で取り込んだ静止画像情報の内、本社側設備３から指定された任意の回転装置２１の角度範囲の代表静止画像を、本社側設備３へ伝送する(ステップ１０５)。例えば、図２上段に示す、被制御監視処理部２３に時分割で取込んだ垂直角度V:2.0度、水平角度H:235.0, 235.1,・・・,236.0迄の0.1度毎の静止画像情報の内、１度単位毎の代表静止画像(図２下段に示す、水平角度H:235.0,H:236.0, 237.0,・・・)のみを伝送する。
【００１８】
そして、本社側設備３では、伝送された静止画像情報を一覧表示(図２下段)し、各々の遅延プロファイル情報等を確認し、受信状態の良い角度範囲の全静止画像情報(図２上段)を、再度、受信基地局２の被制御監視処理部２３へ要求し、詳細な静止画像情報を伝送させる(ステップ１０６)。
【００１９】
再度伝送された受信状態の良い角度範囲の詳細な静止画像情報を一覧表示(図２上段)し、各々の遅延プロファイル情報等を確認し、最適伝送状態の角度を判別し、この最適伝送状態の角度になるようアンテナ回転装置２１を制御する(ステップ１０７)。
【００２０】
ここで、本発明では、まず、時分割で取込んだ遅延プロファイル情報等の静止画像情報の内、例えば、１度単位毎の代表静止画像のみを本社側設備に伝送するため、専用の映像回線や、基地局と本社間にネットワーク接続するための機器及び回線を必要とせず、低速のアナログモデムを使用して遅延プロファイル情報等の伝送が可能である。
【００２１】
また、伝送された受信状態の良い角度範囲の詳細な静止画像情報を一覧表示し、各々の遅延プロファイル情報等から最適伝送状態のアンテナ角度を判別できるため、容易に最適伝送状態の角度にアンテナ回転装置を制御することができる。
【図面の簡単な説明】
【００２２】
【図１】本発明の一実施例の構成を示すブロック図
【図２】本発明の遅延プロファイル情報等の静止画像の一覧表示画面の模式図
【図３】本発明のアンテナ回転装置の制御、方向調整操作のフローチャート
【符号の説明】
【００２３】
１：送信設備、２：受信基地局、３：本社側設備、１１：送信ＦＰＵ、２１：パラボラアンテナ回転装置、２２：デジタル受信ＦＰＵ、２３：被制御監視処理部、２４：遅延プロファイルアダプタ、３１：制御監視処理部、３２：表示部、３３：操作部。
【図１】
2006287371.tif 000003
【図２】
2006287371.tif 000004
【図３】
2006287371.tif 000005